【手続補正書】
【提出日】平成28年1月28日(2016.1.28)
【手続補正１】
【補正対象書類名】特許請求の範囲
【補正対象項目名】全文
【補正方法】変更
【補正の内容】
【特許請求の範囲】
【請求項１】
連続用紙の幅方向の一方側の端部分に当該連続用紙の搬送方向に沿って形成された第１スプロケットホールに第１係合ピンを順次に係合させる第１トラクターと、
前記連続用紙の前記幅方向の他方側の端部分に前記搬送方向に沿って形成された第２スプロケットホールに第２係合ピンを順次に係合させる第２トラクターと、
前記連続用紙の前記搬送方向と直交する直交方向に延びており、前記第１トラクターおよび前記第２トラクターをそれぞれ前記直交方向に移動可能に支持する支軸と、
前記支軸を前記直交方向に移動可能に支持するフレームと、
前記支軸を前記直交方向に付勢するバネ部材と、
前記第２トラクターを前記支軸に固定する固定機構と、を有し、
前記第１トラクターは、前記直交方向の予め定めた基準位置に配置されており、
前記バネ部材は、前記支軸が前記第２トラクターの側から前記第１トラクターの側に向かう第１方向に移動したときに、前記支軸を当該第１方向とは反対の第２方向に付勢することを特徴とするトラクターユニット。
【請求項２】
請求項１において、
前記支軸は、第１位置と当該第１位置から前記第２方向に離間する第２位置との間を移動可能となっており、
前記バネ部材は、付勢していない初期状態で前記支軸を前記第２位置に支持していることを特徴とするトラクターユニット。
【請求項３】
請求項１または２において、
前記フレームは、前記支軸の前記第２方向の端部分を貫通させた状態で当該支軸を回転可能に支持する支持部を備えており、
前記バネ部材は、伸縮方向を前記直交方向に向けたコイルバネであり、前記支持部の前記第２方向の隣接位置で前記伸縮方向の一方の端部分が前記支持部に連結され、他方の端部分が前記支軸に連結されていることを特徴とするトラクターユニット。
【請求項４】
請求項１ないし３のうちのいずれかの項に記載のトラクターユニットと、
前記トラクターユニットよりも前記搬送方向の下流側で前記支軸と平行に配置された搬送ローラーと、
前記搬送ローラーを回転駆動する駆動源と、を有し、
前記搬送ローラーが回転駆動されることにより前記連続用紙が搬送され、前記連続用紙の移動に追随して前記トラクターユニットが従動することを特徴とする搬送装置。
【請求項５】
請求項１ないし３のうちのいずれかの項に記載のトラクターユニットと、
前記トラクターユニットよりも前記搬送方向の下流側で前記支軸と平行に配置された搬送ローラーと、
前記搬送ローラーを回転駆動する駆動源と、を有し、
前記トラクターユニットは、前記第１トラクターおよび前記第２トラクターを駆動する駆動軸と、前記駆動源からの回転駆動力を前記駆動軸に伝達する駆動力伝達機構と、を備え、
前記駆動力伝達機構は、前記連続用紙を前記搬送方向に搬送するための回転駆動力を、ワンウエイクラッチを介して、前記駆動軸に伝達することを特徴とする搬送装置。
【請求項６】
請求項４または５において、
前記搬送ローラーは、表面に無機粒子が分散された摩擦層を備えていることを特徴とする搬送装置。
【請求項７】
請求項４、５または６に記載の搬送装置と、
前記搬送装置よりも前記搬送方向の下流側に配置されて当該搬送装置によって搬送される前記連続用紙に印刷を施す印刷部と、
を有することを特徴とする印刷装置。
【請求項８】
請求項４、５または６のうちのいずれかの項において、
前記直交方向に移動可能な状態で前記支軸に支持されているガイド部材と、
前記固定機構による前記第２トラクターの前記支軸への固定の解除に連動して当該第２トラクターと前記ガイド部材とを前記直交方向に一体に移動可能な状態に固定し、前記固定機構による前記第２トラクターの前記支軸への固定に連動して前記ガイド部材と前記第２トラクターとを前記直交方向に所定距離だけ相対移動可能とするガイド部材用固定機構と、を有することを特徴とする搬送装置。
【請求項９】
請求項８において、
前記ガイド部材は、前記支軸との摺接部に転がり軸受を備えていることを特徴とする搬送装置。
【請求項１０】
請求項８または９に記載の搬送装置と、
前記トラクターユニットよりも前記搬送方向の下流側に配置された印刷ヘッドと、
前記印刷ヘッドに対向配置されているプラテンと、を有し、
前記プラテンは、前記直交方向に沿って配列された複数の分割プラテンからなり、
各分割プラテンは、前記印刷ヘッドとの間が予め設定した設定間隔となる規定位置に配置されているとともに、前記印刷ヘッドへ向かって前記規定位置に押圧されており、
前記ガイド部材は、前記プラテンを通過する前記連続用紙の前記直交方向の紙端部分を前記印刷ヘッドの側に浮き上がらないように案内するガイドプラテンを備えており、
前記第２トラクターと前記ガイド部材とを一体に移動させると、前記ガイドプラテンは前記分割プラテンを押圧する力に抗して前記印刷ヘッドから離れる方向に押し込みながら前記直交方向へ移動することを特徴とする印刷装置。
【請求項１１】
請求項１０において、
前記ガイドプラテンは、前記分割プラテンに前記印刷ヘッドの側から当接する当接部と、前記印刷ヘッドと前記設定間隔を開けて対峙する基準面と、前記基準面よりも前記印刷ヘッドの側で当該基準面に所定間隔を開けて対峙する案内面とを備え、前記基準面と前記案内面との間に前記連続用紙を通過させ、
各分割プラテンの媒体搬送面の前記直交方向の両端部分には、外側に向って前記印刷ヘッドから離れる方向に傾斜するプラテン側傾斜面が設けられており、
前記当接部は、前記直交方向の両端部分に、外側に向って前記印刷ヘッドに接近する方向に傾斜するガイド側傾斜面を備えており、
前記ガイド側傾斜面の傾斜角度と前記プラテン側傾斜面の傾斜角度とは同じであることを特徴とする印刷装置。
【請求項１２】
請求項１１において、
前記プラテンと前記トラクターユニットの間に前記支軸と平行に配置されたガイド軸を有し、
前記ガイド部材は、前記ガイド部材用固定機構によって前記第２トラクターに固定されるガイドトラクターを備え、
前記ガイドトラクターは、前記プラテン側の端部分に、直交方向に移動可能な状態で前記ガイド軸に支持されているガイドトラクター側支持部を備え、
前記ガイドプラテンは、前記第２トラクターユニットの側の端部分に、直交方向に移動可能な状態で前記ガイド軸に支持されているガイドプラテン側支持部を備え、
前記ガイドプラテンと前記ガイドトラクターとは、前記ガイドトラクター側支持部とガイドプラテン側支持部との係合により連結されていることを特徴とする印刷装置。
【手続補正２】
【補正対象書類名】明細書
【補正対象項目名】００１０
【補正方法】変更
【補正の内容】
【００１０】
上記の課題を解決するために、本発明のトラクターユニットは、
連続用紙の幅方向の一方側の端部分に当該連続用紙の搬送方向に沿って形成された第１スプロケットホールに第１係合ピンを順次に係合させる第１トラクターと、
前記連続用紙の前記幅方向の他方側の端部分に前記搬送方向に沿って形成された第２スプロケットホールに第２係合ピンを順次に係合させる第２トラクターと、
前記連続用紙の前記搬送方向と直交する直交方向に延びており、前記第１トラクターおよび前記第２トラクターをそれぞれ前記直交方向に移動可能に支持する支軸と、
前記支軸を前記直交方向に移動可能に支持するフレームと、
前記支軸を前記直交方向に付勢するバネ部材と、
前記第２トラクターを前記支軸に固定する固定機構と、を有し、
前記第１トラクターは、前記直交方向の予め定めた基準位置に配置されており、
前記バネ部材は、前記支軸が前記第２トラクターの側から前記第１トラクターの側に向かう第１方向に移動したときに、前記支軸を当該第１方向とは反対の第２方向に付勢することを特徴とする。
【手続補正３】
【補正対象書類名】明細書
【補正対象項目名】００１３
【補正方法】変更
【補正の内容】
【００１３】
本発明において、前記支軸は、第１位置と当該第１位置から前記第２方向に離間する第２位置との間を移動可能となっており、前記バネ部材は、付勢していない初期状態で前記支軸を前記第２位置に支持していることが望ましい。この場合には、バネ部材が自然長のときに、支軸を第２位置に保持する構成を採用できる。
【手続補正４】
【補正対象書類名】明細書
【補正対象項目名】００１７
【補正方法】変更
【補正の内容】
【００１７】
また、本発明の搬送装置は、
上記のトラクターユニットと、
前記トラクターユニットよりも前記搬送方向の下流側で前記支軸と平行に配置された搬送ローラーと、
前記搬送ローラーを回転駆動する駆動源と、を有し、
前記トラクターユニットは、前記第１トラクターおよび前記第２トラクターを駆動する駆動軸と、前記駆動源からの回転駆動力を前記駆動軸に伝達する駆動力伝達機構と、を備え、
前記駆動力伝達機構は、前記連続用紙を前記搬送方向に搬送するための回転駆動力を、ワンウエイクラッチを介して、前記駆動軸に伝達することを特徴とする。
【手続補正５】
【補正対象書類名】明細書
【補正対象項目名】００２５
【補正方法】変更
【補正の内容】
【００２５】
次に、本発明の印刷装置は、
上記の搬送装置と、
前記トラクターユニットよりも前記搬送方向の下流側に配置された印刷ヘッドと、
前記印刷ヘッドに対向配置されているプラテンと、を有し、
前記プラテンは、前記直交方向に沿って配列された複数の分割プラテンからなり、
各分割プラテンは、前記印刷ヘッドとの間が予め設定した設定間隔となる規定位置に配置されているとともに、前記印刷ヘッドへ向かって前記規定位置に押圧されており、
前記ガイド部材は、前記プラテンを通過する前記連続用紙の前記直交方向の紙端部分を前記印刷ヘッドの側に浮き上がらないように案内するガイドプラテンを備えており、
前記第２トラクターと前記ガイド部材とを一体に移動させると、前記ガイドプラテンは前記分割プラテンを押圧する力に抗して前記印刷ヘッドから離れる方向に押し込みながら前記直交方向へ移動することを特徴とする。